(57)【要約】 【課題】  本発明の課題は、回路基板の圧電トランス及び出力用コネクタからその周囲の電子部品に対する放電を防止し、ケーブルの絶縁被膜の耐電圧に関わらずケーブルの絶縁が確保できる、幅方向の寸法が小さいインバータユニットを提供することである。【解決手段】  本発明のインバータユニットは、回路基板５の一方の端部の近傍から、回路基板５の長手方向に、第１の出力用コネクタ４ａ、第２の出力用コネクタ４ｂ、次に圧電トランス１ａ及び圧電トランス１ｂ、更に電子部材２、そして入力用コネクタ３を順に配置し、回路基板５の図示しない回路パターンを介して電気的に接続し、第１の出力用コネクタ４ａを第１の絶縁部６ａで覆い、２の出力用コネクタ４ｂ、圧電トランス１ａ、圧電トランス１ｂ、電子部材２、入力用コネクタ３を第２の絶縁部６ｂで覆い構成する。【選択図】  図１
2010104072.tif 000002
【特許請求の範囲】
【請求項１】
複数の圧電トランスと、前記圧電トランスを制御する電子部材と、複数の出力用コネクタを有した回路基板、及び前記回路基板を電気的に絶縁するように覆った絶縁材よりなる絶縁カバーで構成したインバータユニットであって、前記圧電トランスと前記出力用コネクタを電気的に接続し、複数の前記出力用コネクタを前記回路基板の一方の端部の近傍から前記回路基板の長手方向に順に並べて配置し、前記絶縁カバーで前記圧電トランス、前記電子部材、前記出力用コネクタを有した前記回路基板の表面部、及び前記回路基板の裏面部を覆うとともに、複数の前記出力用コネクタの間は覆わないよう構成することを特徴とするインバータユニット。
【請求項２】
前記絶縁カバーは、前記回路基板の一方の端部の近傍に配置した第１の出力用コネクタを覆う第１の絶縁部と、前記第１の出力用コネクタの後部に配置した第２の出力用コネクタ、及び前記圧電トランス、更に前記電子部材を覆う第２の絶縁部からなることを特徴とする請求項１に記載のインバータユニット。
【請求項３】
前記絶縁カバーは、前記絶縁材からなる板状の第３の絶縁部に、前記第１の絶縁部及び前記第２の絶縁部を接合して一体化したことを特徴とする請求項２に記載のインバータユニット。
【請求項４】
前記第１の絶縁部及び前記第２の絶縁部は、前記絶縁材からなる絶縁シートを前記回路基板に沿って巻き、前記絶縁シート同士の重なる部分を、溶着または絶縁テープを用いて接合し、多角形断面の筒状体からなる構成としたことを特徴とする請求項２に記載のインバータユニット。
【請求項５】
前記第１の絶縁部及び前記第２の絶縁部は、前記絶縁材からなる複数の断面略Ｕ字状の細長い絶縁部材により構成され、複数の前記絶縁部材を組み合わせ、前記絶縁部材同士の重なる部分を、溶着または絶縁テープを用いて接合し、多角形断面の筒状体からなる構成としたことを特徴とする請求項２に記載のインバータユニット。
【請求項６】
前記第１の絶縁部及び前記第２の絶縁部は、前記絶縁部材の開口部を絶縁テープで塞いだ多角形断面の筒状体からなる構成としたことを特徴とする請求項２に記載のインバータユニット。
【発明の詳細な説明】
【技術分野】
【０００１】
本発明は、複数の冷陰極管を点灯させるインバータユニットに関するものである。
【背景技術】
【０００２】
近年、細径の小型蛍光管である冷陰極管は、容易に明るさを調整できる特性をもつことから、液晶ディスプレイ（以下「ＬＣＤ」と記す）の液晶バックライト用光源として急速に普及している。
【０００３】
また、大画面化やワイド化が図られている液晶テレビやノート型パーソナルコンピュータ（以下「ノートパソコン」と記す）のＬＣＤにおいて、液晶バックライト用光源には高い輝度が求められており、冷陰極管を複数本用いた多灯式ＬＣＤが広く用いられている。
【０００４】
冷陰極管は、特殊な専用安定器である圧電インバータ回路を用いて点灯する。特に小型化が望まれるノートパソコン用ＬＣＤでは、比較的細長い形状の圧電トランスが用いられており、圧電インバータ回路は、冷陰極管を点灯させる為に約１０００ボルト近い高電圧を出力する。
【０００５】
複数の冷陰極管を有する多灯式ＬＣＤに使用される圧電インバータ回路は、冷陰極管毎に高電圧を印加する必要があり、複数の圧電トランスとそれに接続するコネクタを設ける方法がとられており、高電圧を発生する圧電トランス及び圧電トランスに接続するコネクタからその周囲の電子部品に対して放電する可能性が高く、圧電インバータ回路を設けた基板を絶縁素材からなるケースで覆うとともに、基板に設けた電子部品に対しても絶縁対策を図る必要がある。
【０００６】
圧電インバータ回路を設けた基板を絶縁素材からなるケースで覆うとともに、基板に設けた電子部品に対しても絶縁対策を実施した圧電インバータ回路基板、いわゆるインバータユニットが特許文献１に開示されている。
【０００７】
特許文献１に記載のインバータユニットは、回路基板の長手方向の一方の端部の近傍に、回路基板の中心方向に所定長さのスリットを形成し、このスリットを介して、高電圧端子を備えるコネクタ及びそのコネクタに接続する圧電トランスと、低電圧端子を備えるコネクタ及びそのコネクタに接続する圧電トランスを配置する。回路基板はスリットに挿嵌する仕切部を備えた絶縁性を有するケースにより覆われている。これにより、近接する高電圧端子を備えるコネクタ側の高電圧部と、低電圧端子を備えるコネクタ側の低電圧部とがスリットと仕切部とにより絶縁され、高電圧回路を低電圧回路とを並べて配置しても、高電圧回路からの放電を確実に防止できる。
【０００８】
【特許文献１】特開２００４−３４２９９７号公報
【発明の開示】
【発明が解決しようとする課題】
【０００９】
近年、ノートパソコン用ＬＣＤには、２本の冷陰極管を用いた２灯式ＬＣＤが広く用いられており、例えば、特許文献１に開示されている様に、回路基板の幅方向に対して２つの圧電トランスと２つの出力用コネクタをそれぞれ並列に配置したインバータユニットが用いられている。
【００１０】
図１１は、従来技術の２灯式ＬＣＤ用インバータユニットを示す側面図であり、例えば特許文献１に開示の２灯式ＬＣＤ用インバータユニットの構成例を説明する図である。
【００１１】
従来技術の２灯式ＬＣＤ用インバータユニットは、回路基板９５、入力用コネクタ９３、電子部材９２、圧電トランス９１ａ、圧電トランス９１ｂ、絶縁カバー９６、出力用コネクタ９４ａ、出力用コネクタ９４ｂからなり、回路基板９５の一方の端部の近傍から、回路基板９５の長手方向に、出力用コネクタ９４ａ及び出力用コネクタ９４ｂ、次に圧電トランス９１ａ及び圧電トランス９１ｂ、更に電子部材９２、そして入力用コネクタ９３を順に配置し、回路基板９５の図示しない回路パターンを介して電気的に接続し、回路基板９５を覆うように絶縁カバー９６を設ける。
【００１２】
従来技術の２灯式ＬＣＤ用インバータユニットは、入力用コネクタ９３から入力された信号を、電子部材９２を介して圧電トランス９１ａ及び圧電トランス９１ｂに入力し、圧電用トランス９１ａ及び圧電トランス９１ｂで電圧を６００Ｖ〜９００Ｖまで上昇して出力用コネクタ９４ａ及び出力用コネクタ９４ｂに入力し、出力用コネクタ９４ａ及び出力用コネクタ９４ｂから図示しない冷陰極管へ高電圧を供給する。
【００１３】
更に、絶縁材からなる絶縁カバー９６は、高電圧を発生させる圧電トランス９１ａ及び圧電トランス９１ｂと、高電圧が入力される出力用コネクタ９４ａ及びコネクタ９４ｂから発生する可能性がある放電による周辺機器または電子部品の破壊防止や、人の接触による感電防止の為の絶縁を確保する。
【００１４】
図１２は、図１１の部位Ｂの上面図であり、従来技術の２灯式ＬＣＤ用インバータユニットにおける出力コネクタの位置を説明する図である。
【００１５】
従来技術の２灯式ＬＣＤ用インバータユニットは、回路基板９５の一方の端部の近傍に、出力用コネクタ９４ａと出力用コネクタ９４ｂを回路基板９５の幅寸法方向に平行に並べて設け、更に、出力用コネクタ９４ａと出力用コネクタ９４ｂの後部に、圧電トランス９１ａと圧電トランス９１ｂを回路基板９５の幅寸法方向に平行に並べて設け、更に、出力用コネクタ９４ａ、出力用コネクタ９４ｂ、圧電トランス９１ａ、圧電トランス９１ｂを覆うように絶縁カバー９６を設置する。
【００１６】
更に近年、ノートパソコンは、持ち運びやすさ等の市場要望に対して軽量化、小型化が更に進む一方で、文字や画像の見やすさを改善する為にＬＣＤの大型化が進んできており、その結果、インバータユニットのノートパソコンへの搭載面積がより制限され、より幅方向の寸法が小さいインバータユニットの要求が高くなってきている。
【００１７】
しかしながら、従来技術の、例えば特許文献１に開示の２灯式ＬＣＤ用インバータユニットでは、回路基板に実装する部品の中で一番寸法が大きい出力用コネクタを、回路基板の幅寸法方向に対して並列に配置する構造である為に回路基板の幅寸法を小さくできず、市場が要求する幅寸法が小さいインバータユニットの実現は困難である。
【００１８】
更に、出力用コネクタと冷陰極管を電気的に結合するケーブルが、このケーブルの絶縁被膜の耐電圧より高い電圧が印加された出力用コネクタに接触した場合、絶縁が確保できなくなる場合がある。
【００１９】
本発明の目的は、上記課題を解決し、回路基板の圧電トランス及び出力用コネクタからその周囲の電子部品に対する放電を防止し、ケーブルの絶縁被膜の耐電圧に関わらずケーブルの絶縁が確保できる、幅方向の寸法が小さいインバータユニットを提供することである。
【課題を解決するための手段】
【００２０】
本発明によれば、複数の圧電トランスと、前記圧電トランスを制御する電子部材と、複数の出力用コネクタを有した回路基板、及び前記回路基板を電気的に絶縁するように覆った絶縁材よりなる絶縁カバーで構成したインバータユニットであって、前記圧電トランスと前記出力用コネクタを電気的に接続し、複数の前記出力用コネクタを前記回路基板の一方の端部の近傍から前記回路基板の長手方向に順に並べて配置し、前記絶縁カバーで前記圧電トランス、前記電子部材、前記出力用コネクタを有した前記回路基板の表面部、及び前記回路基板の裏面部を覆うとともに、複数の前記出力用コネクタの間は覆わないよう構成することを特徴とするインバータユニットが得られる。
【００２１】
また、本発明によれば、前記絶縁カバーは、前記回路基板の一方の端部の近傍に配置した第１の出力用コネクタを覆う第１の絶縁部と、前記第１の出力用コネクタの後部に配置した第２の出力用コネクタ、及び前記圧電トランス、更に前記電子部材を覆う第２の絶縁部からなることを特徴とするインバータユニットが得られる。
【００２２】
また、本発明によれば、前記絶縁カバーは、前記絶縁材からなる板状の第３の絶縁部に、前記第１の絶縁部及び前記第２の絶縁部を接合して一体化したことを特徴とするインバータユニットが得られる。
【００２３】
また、本発明によれば、前記第１の絶縁部及び前記第２の絶縁部は、前記絶縁材からなる絶縁シートを前記回路基板に沿って巻き、前記絶縁シート同士の重なる部分を、溶着または絶縁テープを用いて接合し、多角形断面の筒状体からなる構成としたことを特徴とするインバータユニットが得られる。
【００２４】
また、本発明によれば、前記第１の絶縁部及び前記第２の絶縁部は、前記絶縁材からなる複数の断面略Ｕ字状の細長い絶縁部材により構成され、複数の前記絶縁部材を組み合わせ、前記絶縁部材同士の重なる部分を、溶着または絶縁テープを用いて接合し、多角形断面の筒状体からなる構成としたことを特徴とするインバータユニットが得られる。
【００２５】
また、本発明によれば、前記第１の絶縁部及び前記第２の絶縁部は、前記絶縁部材の開口部を絶縁テープで塞いだ多角形断面の筒状体からなる構成としたことを特徴とするインバータユニットが得られる。
【００２６】
本発明では、複数の圧電トランスと、電子部材および複数の出力用コネクタが実装された回路基板において、出力用コネクタを回路基板の一方の端部の近傍から回路基板の長手方向に順に並べて配置することで、回路基板の幅寸法は、ひとつの出力用コネクタの幅寸法を有してれば良く、従来技術の例えば、特許文献１に記載の二つの出力用コネクタを回路基板の幅方向に並べて配置した回路基板の幅寸法より小さくすることができる。
【００２７】
更に、本発明において、第１の出力用コネクタを第１の絶縁部で覆い、第１の出力用コネクタの後部に配置した第２の出力用コネクタ、及び前記圧電トランス、更に前記電子部材を第２の絶縁部で覆うことで、高電圧を発生する圧電トランス及び出力用コネクタからその周囲の電子部品に対する放電を防止できる。
【００２８】
また、第１の絶縁部と第２の絶縁部の間を絶縁材で覆わないことで、出力用コネクタと冷陰極管を電気的に結合するケーブルを第２の出力用コネクタに接続できると共に、圧電トランスから高電圧が入力される第１の出力用コネクタに接触せずに配線できるので、ケーブルの絶縁被膜の耐電圧に関わらず絶縁を確保できる。
【発明の効果】
【００２９】
本発明によれば、出力用コネクタを回路基板の一方の端部の近傍から回路基板の長手方向に順に並べて配置し、絶縁材からなる絶縁カバーで圧電トランス、電子部材、出力用コネクタを覆うとともに、複数の前記出力用コネクタの間は覆わないよう構成することにより、回路基板の圧電トランス及び出力用コネクタからその周囲の電子部品に対する放電を防止し、ケーブルの絶縁被膜の耐電圧に関わらずケーブルの絶縁が確保できる、幅方向の寸法が小さいインバータユニットが得られる。
【発明を実施するための最良の形態】
【００３０】
以下、本発明の実施の形態について図面を用いて説明する。
【００３１】
図１は、本発明の第１の実施の形態を示す図である。
【００３２】
本発明のインバータユニットは、回路基板５、入力用コネクタ３、電子部材２、圧電トランス１ａ、圧電トランス１ｂ、第１の絶縁部６ａ、第２の絶縁部６ｂ、第１の出力用コネクタ４ａ、第２の出力用コネクタ４ｂからなり、回路基板５の一方の端部の近傍から、回路基板５の長手方向に、第１の出力用コネクタ４ａ、第２の出力用コネクタ４ｂ、次に圧電トランス１ａ及び圧電トランス１ｂ、更に電子部材２、そして入力用コネクタ３を順に配置し、回路基板５の図示しない回路パターンを介して電気的に接続し、第１の出力用コネクタ４ａを第１の絶縁部６ａで覆い、第２の出力用コネクタ４ｂ、圧電トランス１ａ、圧電トランス１ｂ、電子部材２、入力コネクタ３を第２の絶縁部６ｂで覆い構成する。
【００３３】
本発明のインバータユニットは、入力用コネクタ３から入力された信号を、電子部材２を介して圧電トランス１ａ及び圧電トランス１ｂに入力し、圧電トランス１ａ及び圧電トランス１ｂで電圧を６００Ｖ〜９００Ｖまで上昇して第１の出力用コネクタ４ａ及び第２の出力用コネクタ４ｂに入力し、第１の出力用コネクタ４ａ及び第２の出力用コネクタ４ｂから図示しない冷陰極管へ高電圧を供給する。
【００３４】
更に、絶縁材からなる第１の絶縁部６ａ及び第２の絶縁部６ｂは、高電圧を発生させる圧電トランス１ａ及び圧電トランス１ｂと、高電圧が入力される第１の出力用コネクタ４ａ及び第２の出力用コネクタ４ｂから発生する可能性がある、放電による周辺機器や電子部品等への影響を防ぐ為の絶縁性を確保する。
【００３５】
図２は、図１の部位Ａの上面図であり、本発明のインバータユニットにおける出力コネクタ及び絶縁カバーの位置を説明する図である。
【００３６】
本発明のインバータユニットは、回路基板５の一方の端部の近傍に第１の出力用コネクタ４ａを配置し、次いで第２の出力用コネクタ４ｂを第１の出力用コネクタ４ａの後部に、回路基板５の長手方向に順に並べて配置し、更に、第２の出力用コネクタ４ｂの後部に、圧電トランス１ａと圧電トランス１ｂを回路基板５の幅寸法方向に平行に並べて設け、第１の出力用コネクタ４ａを第１の絶縁部６ａで覆い、第２の出力用コネクタ４ｂ、圧電トランス１ａ及び圧電トランス１ｂを第２の絶縁部６ｂで覆う。
【００３７】
図３は、本発明のインバータユニットと外部機器との接合状態を示す図であり、すでに図２で説明した本発明のインバータユニットに図示しない冷陰極管と電気的に結合するケーブルを装着した状態を示しており、図３（ａ）は上面図で、図３（ｂ）は側面図である。
【００３８】
回路基板５に設けた第１の出力用コネクタ４ａに冷陰極管と電気的に結合する第１のケーブル１０ａを装着して回路基板５の外に第１のケーブル１０ａを配線し、更に回路基板５に設けた第２の出力用コネクタ４ｂに冷陰極管と電気的に結合する第２のケーブル１０ｂを装着し、第１の出力用コネクタ４ａを覆うように設けた第１の絶縁部６ａの上方を通って回路基板５の外に第２のケーブル１０ｂを配線する。よって、第１のケーブル１０ａ及び第２のケーブル１０ｂは、第１の出力用コネクタ４ａ、第２の出力用コネクタ４ｂ、及び第２の絶縁部６ｂで覆われた回路基板５上の圧電トランス１ａ及び圧電トランス１ｂに接触しない。
【００３９】
上述のような構成により、回路基板の圧電トランス及び出力用コネクタからその周囲の電子部品に対する放電を防止し、ケーブルの絶縁被膜の耐電圧に関わらずケーブルの絶縁が確保できる、幅方向の寸法が小さいインバータユニットが得られる。
【００４０】
図４は、本発明の第２の実施の形態を示す図である。
【００４１】
本発明のインバータユニットは、回路基板５、入力用コネクタ３、電子部材２、圧電トランス１ａ、圧電トランス１ｂ、第１の絶縁部６ａ、第２の絶縁部６ｂ、第３の絶縁部６ｃ、第１の出力用コネクタ４ａ、第２の出力用コネクタ４ｂからなり、回路基板５の一方の端部の近傍から回路基板５の長手方向に、第１の出力用コネクタ４ａ、第２の出力用コネクタ４ｂ、次に圧電トランス１ａ及び圧電トランス１ｂ、更に電子部材２、そして入力用コネクタ３を順に配置し、回路基板５の図示しない回路パターンを介して電気的に接続し、第１の出力用コネクタ４ａを第１の絶縁部６ａで覆い、２の出力用コネクタ４ｂ、圧電トランス１ａ、圧電トランス１ｂ、電子部材２、入力用コネクタ３を第２の絶縁部６ｂで覆い、回路基板５の部品実装がされていない面すなわち裏面に、板状の絶縁材からなる第３の絶縁部６ｃを設けて、第３の絶縁部６ｃに第１の絶縁部６ａ及び第２の絶縁部６ｂを接合し、一体化して構成する。
【００４２】
本発明のインバータユニットは、入力用コネクタ３から入力された信号を、電子部材２を介して圧電トランス１ａ及び圧電トランス１ｂに入力し、圧電トランス１ａ及び圧電トランス１ｂで電圧を６００Ｖ〜９００Ｖまで上昇して第１の出力用コネクタ４ａ及び第２の出力用コネクタ４ｂに入力し、第１の出力用コネクタ４ａ及び第２の出力用コネクタ４ｂから図示しない冷陰極管へ高電圧を供給する。
【００４３】
更に、絶縁材からなる第１の絶縁部６ａ及び第２の絶縁部６ｂは、高電圧を発生させる圧電トランス１ａ及び圧電トランス１ｂと、高電圧が入力される第１の出力用コネクタ４ａ及び第２の出力用コネクタ４ｂから発生する可能性がある、放電による周辺機器や電子部品等への影響を防ぐ為の絶縁性を確保する。
【００４４】
また、第１の絶縁部６ａ及び第２の絶縁部６ｂを第３の絶縁部６ｃで接合し、一体化することによって、衝撃等に対する機械的強度を高くすると共に、絶縁部の表面の電位を均一にし、第１の出力用コネクタ４ａ及び第２の出力用コネクタ４ｂからの放電発生の可能性を抑制でき、より好ましい。
【００４５】
上述のような構成により、回路基板の圧電トランス及び出力用コネクタからその周囲の電子部品に対する放電を防止し、ケーブルの絶縁被膜の耐電圧に関わらずケーブルの絶縁が確保できる、幅方向の寸法が小さいインバータユニットが得られる。
【００４６】
図５は、本発明のインバータユニットの外部機器への内装を示す概略図である。ノート型パーソナルコンピュータ７の液晶ディスプレイ８の下部にインバータユニット９を内装し、ノート型パーソナルコンピュータ７及び液晶ディスプレイ８と電気的に接続する。このノート型パーソナルコンピュータ７への内装は、上述の２つの実施の形態とも同様に実施できる。
【００４７】
次に、上述の２つの実施の形態に係る第１の絶縁部及び第２の絶縁部からなる絶縁カバーの実施の形態について図面を用いて説明する。
【００４８】
図６は、本発明の絶縁カバーの第１の実施の形態を示す図である。
【００４９】
絶縁カバーは、絶縁材からなる絶縁シート６ｆを、回路基板５と回路基板５に設けた出力用コネクタ４を覆うように折り曲げて四角形断面の筒状体を設け、絶縁シート６ｆの重なる部分とその近傍を絶縁テープ１１で覆って接合し構成する。更に、回路基板５を接着剤１３で絶縁カバーの内部に固定する。
【００５０】
図７は、本発明の絶縁カバーの第２の実施の形態を示す図である。
【００５１】
絶縁カバーは、絶縁材からなる絶縁シート６ｆを、回路基板５と回路基板５に設けた出力用コネクタ４を覆うように折り曲げて四角形断面の筒状体を設け、絶縁シート６ｆの重なる部分を溶着し溶着部１２を設けて接合し構成する。更に、回路基板５を接着剤１３で絶縁カバーの内部に固定する。
【００５２】
図８は、本発明の絶縁カバーの第３の実施の形態を示す図である。
【００５３】
絶縁カバーは、断面略Ｕ字状の細長い絶縁材からなる絶縁部材６ｄ及び絶縁部材６ｅを組み合わせ、回路基板５に設けた出力用コネクタ４を覆い、四角形断面の筒状体を設け、絶縁部材６ｄと絶縁部材６ｅの重なる部分と、絶縁部材６ｄの底面部を絶縁テープ１１で覆って接合し構成する。更に、回路基板５を接着剤１３で絶縁カバーの内部に固定する。
【００５４】
図９は、本発明の絶縁カバーの第４の実施の形態を示す図である。
【００５５】
絶縁カバーは、断面略Ｕ字状の細長い絶縁材からなる絶縁部材６ｄ及び絶縁部材６ｅを組み合わせ、回路基板５に設けた出力用コネクタ４を覆い、四角形断面の筒状体を設け、絶縁部材６ｄと絶縁部材６ｅの重なる部分を溶着し、溶着部１２ａ及び溶着部１２ｂを設けて接合し構成する。更に、回路基板５を接着剤１３で絶縁カバーの内部に固定する。
【００５６】
図１０は、本発明の絶縁カバーの第５の実施の形態を示す図である。
【００５７】
絶縁カバーは、断面略Ｕ字状の細長い絶縁材からなる絶縁部材６ｄの底面、両側面及び開口部を絶縁テープ１１で覆い、四角形断面の筒状体を設けて構成する。更に、出力用コネクタ４を設けた回路基板５を接着剤１３で絶縁カバーの内部に固定する。
【００５８】
上述した本発明の絶縁カバーの４つの実施の形態は、いずれの形態でも同様の効果が得られ、適宜選択するのが好ましい。
【００５９】
以上、図面を用いて本発明の実施の形態を説明したが、本発明は、これら実施の形態に限られるものでなく、本発明の趣旨を逸脱しない範囲での部材や構成の変更があっても本発明に含まれる。例えば、前記実施の形態では、２つの圧電トランスと２つの出力用コネクタを用い、圧電トランスと出力用コネクタを一組にした形態を説明しているが、必ずしもこのような構造である必要はなく、２つ以上の圧電トランスと２つ以上の出力用コネクタを組み合わせた構成をとっても、同様に本発明の実施の形態を成す。また、前記実施の形態では、絶縁カバーの形状を四角形断面の筒状体を用いて説明しているが、必ずしもこのような構造である必要はなく、五角形以上の断面の筒状体であっても、同様に本発明の実施の形態を成す。すなわち、当事者であれば当然なしえるであろう各種変形修正もまた、本発明に含まれることは勿論である。
【図面の簡単な説明】
【００６０】
【図１】本発明の第１の実施の形態を示す図。
【図２】図１の部位Ａの上面図。
【図３】本発明のインバータユニットと外部機器との接合状態を示す図で、図３（ａ）は上面図、図３（ｂ）は側面図。
【図４】本発明の第２の実施の形態を示す図。
【図５】本発明のインバータユニットの外部機器への内装を示す概略図。
【図６】本発明の絶縁カバーの第１の実施の形態を示す図。
【図７】本発明の絶縁カバーの第２の実施の形態を示す図。
【図８】本発明の絶縁カバーの第３の実施の形態を示す図。
【図９】本発明の絶縁カバーの第４の実施の形態を示す図。
【図１０】本発明の絶縁カバーの第５の実施の形態を示す図。
【図１１】従来技術の２灯式ＬＣＤ用インバータユニットを示す側面図。
【図１２】図１１の部位Ｂの上面図。
【符号の説明】
【００６１】
１ａ、１ｂ、９１ａ、９１ｂ    圧電トランス
２、９２    電子部材
３、９３    入力用コネクタ
４、４ａ、４ｂ、９４ａ、９４ｂ    出力用コネクタ
５、９５    回路基板
６、９６    絶縁カバー
６ａ、６ｂ、６ｃ    絶縁部
６ｅ、６ｄ    絶縁部材
６ｆ    絶縁シート
７    ノート型パーソナルコンピュータ
８    液晶ディスプレイ
９    インバータユニット
１０ａ、１０ｂ    ケーブル
１１    絶縁テープ
１２、１２ａ、１２ｂ    溶着部
１３    接着剤
【図１】
2010104072.tif 000003
【図２】
2010104072.tif 000004
【図３】
2010104072.tif 000005
【図４】
2010104072.tif 000006
【図５】
2010104072.tif 000007
【図６】
2010104072.tif 000008
【図７】
2010104072.tif 000009
【図８】
2010104072.tif 000010
【図９】
2010104072.tif 000011
【図１０】
2010104072.tif 000012
【図１１】
2010104072.tif 000013
【図１２】
2010104072.tif 000014